(57)【要約】【課題】足の親指を正しく使って本来の歩行を実現できるようにする。【解決手段】履物台２上面における５指の付け根部に５指を位置決めするためのガイド突起６を設けるとともに、親指の下方に、歩行時に親指の屈曲運動を誘導するための誘導用凹部７を設け、かつベルト３を親指側分割部分３ａと小指側分割部分３ｂの左右二分割形状でそれら各分割部分を略中央部にて相互に着脱自在に設けるとともに、このベルト３の内面に低反発クッション材を配する。【選択図】          図１
2004329460.tif 000002
【特許請求の範囲】
【請求項１】
足裏形に形成される履物台と、この履物台の親指側から小指側に亘って掛け渡されるベルトとを備えるサンダルにおいて、
前記履物台上面における５指の付け根部に５指を位置決めするためのガイド突起を設けるとともに、親指の下方に、歩行時に親指の屈曲運動を誘導するための誘導用凹部を設け、かつ前記ベルトを親指側分割部分と小指側分割部分の左右二分割形状でそれら各分割部分を略中央部にて相互に着脱自在に設けるとともに、このベルトの内面に低反発クッション材を配することを特徴とするサンダル。
【請求項２】
前記履物台上面は、爪先側に向けて上り勾配の傾斜面に形成されている請求項１に記載のサンダル。
【請求項３】
前記ベルトは、前記親指側分割部分の前記履物台への取付部が親指の付け根を覆う位置まで爪先側へ延設され、かつ左右の各分割部分が面ファスナーにより着脱される請求項１または２に記載のサンダル。
【請求項４】
前記履物台上面の踵側には踵安定用凸部が設けられるとともに、土踏まずに対応する部分に土踏まず支持用凸部が設けられ、かつ爪先部とそれら踵安定用凸部および土踏まず支持用凸部を除く部分に多数の滑り止め用凸部が設けられる請求項１〜３のいずれかに記載のサンダル。
【請求項５】
前記誘導用凹部および踵安定用凸部にはそれぞれの位置を表示するマークが設けられる請求項１〜４のいずれかに記載のサンダル。
【発明の詳細な説明】
【０００１】
【発明の属する技術分野】
本発明は、足裏形に形成される履物台と、この履物台の親指側から小指側に亘って掛け渡されるベルトとを備えるサンダルに関するものである。
【０００２】
【従来の技術】
従来、外反母趾（足の親指（母指）が小指側に曲がる変形）を予防し、矯正する手段を備えたサンダルがいろいろと提案されている。例えば特許文献１に記載された外反母趾の予防矯正サンダルは、底板の上面前端部に伸縮性および弾力性を有する素材を用いて足の五指をそれぞれ別々に挿入させる筒状部を放射状に設けるとともに、筒状部の中の少なくとも親指を挿入させる筒状部とその外側に隣接して第２指を挿入させる筒状部との間に指拡開スペースを設けるように構成されている。
【０００３】
【特許文献１】
特開２００２−３４５５０１号公報
【０００４】
【発明が解決しようとする課題】
一般に、人間の歩行は、片脚の踵から接地して順次爪先側へ重心が移行していって最後は親指で踏み切り、次いで遊脚側の踵に重心がかかるという繰り返しによって行われる。この場合、人間工学的には、最後の踏み切りをする親指の第１関節と第２関節とを屈曲させて地面に食い込ませて歩行することが望ましい。しかし、近年における地面の舗装化および靴の発明に伴って、地面に親指を食い込ませて歩行することができなくなってきており、これが外反母趾の原因となっている。
【０００５】
ところで、前記特許文献１に開示されたような従来の外反母趾予防矯正用サンダルは、底板の上面前端部に足の五指をそれぞれ別々に挿入させる筒状部を設けて各指間を強制的に拡開させる点を主眼としているものであって、前述のような歩行のメカニズムに対する考慮が払われておらず、その効果が十分に発揮できないという問題点がある。
【０００６】
本発明は、このような問題点を解消するためになされたもので、足の親指を正しく使って本来の歩行を実現できるようにし、これによって身体の歪みを整えることのできるサンダルを提供することを目的とするものである。
【０００７】
【課題を解決するための手段および作用・効果】
前記目的を達成するために、本発明によるサンダルは、
足裏形に形成される履物台と、この履物台の親指側から小指側に亘って掛け渡されるベルトとを備えるサンダルにおいて、
前記履物台上面における５指の付け根部に５指を位置決めするためのガイド突起を設けるとともに、親指の下方に、歩行時に親指の屈曲運動を誘導するための誘導用凹部を設け、かつ前記ベルトを親指側分割部分と小指側分割部分の左右二分割形状でそれら各分割部分を略中央部にて相互に着脱自在に設けるとともに、このベルトの内面に低反発クッション材を配することを特徴とするものである。
【０００８】
本発明によれば、履物台上面における５指の付け根部に５指を位置決めするためのガイド突起と、親指の下方に、歩行時に親指の屈曲運動を誘導するための誘導用凹部とが設けられているので、歩行時に身体を支えている親指を常に正しい位置に安定させることができるとともに、自然な歩行時の親指の屈曲運動を誘導することができる。この結果、親指を正しく使った本来の歩行を実現することができ、外側に下がりがちであった足の外くるぶしの重心を内側に戻してくるぶしバランスを改善することができ、開いた骨盤を引き締めるという効果を得ることができる。これによって外反母趾の予防および矯正を効果的に行うことができる。また、親指側から小指側に亘って掛け渡されるベルトの左右の各分割部分が着脱自在に設けられ、かつその内面に低反発クッション材が配されているので、甲の高低に依らずにその甲を傷付けずにソフトに、しかもしっかりと締め付けて足を履物台に固定することができ、親指を確実に位置決め・安定させて上述の効果を確実に得ることができる。
【０００９】
本発明において、前記履物台上面は、爪先側に向けて上り勾配の傾斜面に形成されているのが好ましい。こうすることで、心臓に負担をかけずに登坂歩行効果によって足首の引き締め効果を得ることができる。
【００１０】
また、前記ベルトは、前記親指側分割部分の前記履物台への取付部が親指の付け根を覆う位置まで爪先側へ延設され、かつ左右の各分割部分が面ファスナーにより着脱されるのが好ましい。このようにすれば、親指をより確実に位置決め・安定させることができるとともに、使用者の足の甲の高さ等に応じてベルトの調節を容易に行うことができる。
【００１１】
さらに、前記履物台上面の踵側には踵安定用凸部が設けられるとともに、土踏まずに対応する部分に土踏まず支持用凸部が設けられ、かつ爪先部とそれら踵安定用凸部および土踏まず支持用凸部を除く部分に多数の滑り止め用凸部が設けられるのが好ましい。こうすることで、より安定的に足裏を履物台上面に密着させることができる。また、踵安定用凸部によって歩行時に踵に加わる衝撃を抑えることができる。さらに、土踏まず支持用凸部によって足裏を刺激することにより筋力を向上させて、体重支持のための足裏のアーチ形状を矯正するという効果がある。
【００１２】
また、前記誘導用凹部および踵安定用凸部にはそれぞれの位置を表示するマークが設けられるのが良い。このようにすれば、使用者がそれら誘導用凹部および踵安定用凸部を容易に確認できるので、より利便性が向上する。
【００１３】
【発明の実施の形態】
次に、本発明によるサンダルの具体的な実施の形態について、図面を参照しつつ説明する。
【００１４】
図１には、本発明の一実施形態に係るサンダルのベルトを閉じた状態での斜視図が、図２には、同サンダルのベルトを開いた状態での斜視図がそれぞれ示されている。また、図３には、同サンダルにおける履物台の平面図が示され、図４には、同サンダルの底面図が示されている。さらに、図５には、図３のＡ−Ａ線断面図が、図６には、図３のＢ−Ｂ線断面図（ａ）、Ｃ−Ｃ線断面図（ｂ）およびＤ−Ｄ線断面図（ｃ）がそれぞれ示されている。なお、図では左足用のサンダルのみが示されており、右足用のものについては左右対称形状であるため図示を省略することとする。
【００１５】
本実施形態のサンダル１は、足裏形に形成される履物台２と、この履物台２の親指側から小指側に亘って掛け渡されて足の甲を覆うベルト（甲ベルト）３とを備えて構成されている。
【００１６】
前記履物台２は、図５、図６に示されているように、ＴＰＲ（ゴム系樹脂）よりなる底部材２ａの表面側にＥＶＡ（エチレン酢酸ビニル共重合体）よりなる表面部材２ｂを接合して形成されている。この履物台２の厚みは、踵側の厚みに対して爪先側の厚みが徐々に厚くなるようにされ、かつ内側部の厚みに対して周縁部の厚みが徐々に厚くなるようにされている。これによって履物台上面は、踵側から爪先側に向けて上り勾配の傾斜面（傾斜角度＝約８°）に形成されている。
【００１７】
前記履物台２上面には、爪先側に、親指を位置決めする位置決め用凹部４と、親指を除く他の４指を位置決めする位置決め用凹部５とが設けられ、かつそれら凹部４，５同士を相互に離隔するとともにそれら凹部４，５を後方部分から離隔するための略逆Ｙ字状のガイド突起６が設けられている。ここで、ガイド突起６の履物台２を横断する方向に延設される部分は、５指の付け根部に位置してそれら５指を位置決めする役目をする。また、前記位置決め用凹部４は位置決め用凹部５に比べてやや（約２ｍｍ程度）その高さが低く形成されている。また、この位置決め用凹部４の略中央部には、親指を正しい位置に支持するとともに、親指の屈曲運動を誘導するための誘導用凹部７が設けられている。なお、この誘導用凹部７にはその位置を表示するマーク、本実施形態では破線の円とその円に囲まれた領域に表示される”Ｐ”の記号が転写印刷により設けられる。
【００１８】
また、前記履物台２上面には、前後方向の略中央部の内側に土踏まず支持用凸部８が設けられるとともに、踵当接部には踵安定用凸部９が設けられ、さらに前記凹部４，５、土踏まず支持用凸部８および踵安定用凸部９を除く全面に平面視楕円形状の滑り止め用凸部１０が水玉状に設けられている。ここで、図には省略されているが、前記踵安定用凸部９にも、誘導用凹部７と同様、その位置を表示するマークを転写印刷により設けるのが好ましい。
【００１９】
一方、前記ベルト３は、親指側分割部分３ａと小指側分割部分３ｂの左右２分割形状とされ、各分割部分３ａ，３ｂの基端部が履物台２の側縁において底部材２ａと表面部材２ｂとの間に挟み込まれて固定されている（図６（ｂ）参照）。また、各分割部分３ａ，３ｂの内面には低反発クッション材が用いられ、これによってベルト３の締付け固定時に足の甲の表面に確実に密着するとともに、甲面を傷付けずにソフトに固定するようにされている。
【００２０】
前記親指側分割部分３ａは、基端部の爪先側が親指の付け根（更には親指の過半部）を覆う位置まで爪先側へ延設されている、言い換えれば親指がベルト３から完全に外側に食み出さないように親指をカバーするようにされている。また、この親指側分割部分３ａは小指側分割部分３ｂよりやや長めに形成され、その先端中央部に後述の締付けバンド１２を挿通するための挿通リング１１を備えている。
【００２１】
これに対して、小指側分割部分３ｂには、表面側の前記挿通リング１１に対応する位置に締付けバンド１２が取り付けられている。この締付けバンド１２は、途中に折返し部を有して基端部側に面ファスナー１３の雄型係合片１３ａを、先端部側に雌型係合片１３ｂをそれぞれ有し、この面ファスナー１３の面が表面側になるようにその雄型係合片１３ａの部分で小指側分割部分３ｂの表面に縫合されて取り付けられている。こうして、締付けバンド１２の先端側を前記挿通リング１１の挿通して折返した後、雌型係合片１３ｂと雄型係合片１３ａとを係合させることで、ベルト３の左右の各分割部分３ａ，３ｂが相互に連結されるとともに、このベルト３の内面の低反発クッション材が使用者の足の甲に密着することになる。
【００２２】
図４、図５に示されるように、前記履物台２の底部材２ａの裏面側には、前後２箇所に滑り止め部１４ａ，１４ｂがその底部材２ａと一体成形により設けられている。これら滑り止め部１４ａ，１４ｂは、多数の連続する波形の凹凸部が交互に形成された形状とされている。
【００２３】
本実施形態のサンダル１は以上のように構成されているので、使用者は足を履物台２上に載せてベルト３の左右の各分割部分３ａ，３ｂを面ファスナーの係合により相互に連結すると、使用者の足の甲の高さに応じてベルト３の内面に配されている低反発クッション材により、足の甲面を傷付けずにソフトに、かつしっかりと履物台２上面に密着させることができる。このとき、親指は位置決め用凹部４内に挿入されてその中央部の誘導用凹部７に確実に位置決めされるとともに、他の４指は位置決め用凹部５に挿入・位置決めされる。また、親指の付け根部上面はベルト３の親指側分割部分３ａの基端部によって覆われるので、特に親指をより確実に位置決めすることができる。一方、足裏の土踏まずの部分は土踏まず支持用凸部８に持ち上げるように支持され、踵の部分は踵安定用凸部９上に載ってその踵に加わる衝撃力が緩和される。また、これら凹部４，５、土踏まず支持用凸部８および踵安定用凸部９を除く全面に設けられている滑り止め用凸部１０によって、履物台２の表面から足裏が不用意に移動するのを防止することができる。
【００２４】
歩行時には、踵から接地して順次爪先側へ重心が移行していって最後は親指で踏み切りがなされるが、このとき身体を支えている親指を正しい位置（誘導用凹部７）に確実に安定させることができる。こうして、親指を正しく使った本来の歩行を実現することができ、外側に下がりがちであった足の外くるぶしの重心を内側に戻してくるぶしバランスを改善することができる。
【００２５】
また、履物台２の上面は、爪先側に向けて上り勾配の傾斜面に形成されているので、直立時にはアキレス腱が伸ばされ、かつ歩行時には登坂歩行効果によって足首が引き締められて、しかも正しい姿勢をとることができるという利点がある。
【００２６】
さらに、前記誘導用凹部７および踵安定用凸部９にはそれぞれの位置を表示するマークが設けられているので、使用者はそのマークの位置に合わせて親指および踵をそれぞれ固定すれば良く、使用時における利便性が良い。
【図面の簡単な説明】
【図１】図１は、本発明の一実施形態に係るサンダルのベルトを閉じた状態での斜視図である。
【図２】図２は、本実施形態に係るサンダルのベルトを開いた状態での斜視図である。
【図３】図３は、本実施形態に係るサンダルにおける履物台の平面図である。
【図４】図４は、本実施形態に係るサンダルの底面図である。
【図５】図５は、図３のＡ−Ａ線断面図である。
【図６】図６は、図３のＢ−Ｂ線断面図（ａ）、Ｃ−Ｃ線断面図（ｂ）およびＤ−Ｄ線断面図（ｃ）である。
【符号の説明】
１        サンダル
２        履物台
２ａ      底部材
２ｂ      表面部材
３        ベルト
３ａ      親指側分割部分
３ｂ      小指側分割部分
４，５    位置決め用凹部
６        ガイド突起
７        誘導用凹部
８        土踏まず支持用凸部
９        踵安定用凸部
１０      滑り止め用凸部
１１      挿通リング
１２      締付けバンド
１３      面ファスナー
【図１】
2004329460.tif 000003
【図２】
2004329460.tif 000004
【図３】
2004329460.tif 000005
【図４】
2004329460.tif 000006
【図５】
2004329460.tif 000007
【図６】
2004329460.tif 000008